(57)【要約】【課題】従来のパージ機構では、監視窓が取り付けられた前面板に、気体を流通させる複雑な流路を設ける必要があった。このため、このような機構を設けるためには、コストが高くなるなどの問題があった。【解決手段】そこで、本発明では、監視装置が収納されたケース本体と、ケース本体の監視対象面を構成する前面板と、前記前面板に設けられ、監視装置から測定対象を監視する監視窓と、前記監視窓をパージするための気体を流通させ、監視窓へ向けて気体を噴出する噴出口を有する気体流通管と、前記前面板の側面方向から対面へ貫通し、前記監視窓の前面板の内側面と連通するように設けられ、前記気体流通管が挿入可能で、屈曲形状を有している管挿入孔と、からなる監視窓パージ機構を提供する。【選択図】図１
2014039179.tif 000002
【特許請求の範囲】
【請求項１】
監視装置が収納されたケース本体と、
ケース本体の監視対象面を構成する前面板と、
前記前面板に設けられ、監視装置から測定対象を監視する監視窓と、
前記監視窓をパージするための気体を流通させ、監視窓へ向けて気体を噴出する噴出口を有する気体流通管と、
前記前面板の側面方向から対面へ貫通し、前記監視窓の前面板の内側面と連通するように設けられ、前記気体流通管が挿入可能で、屈曲形状を有している管挿入孔と、
からなる監視窓パージ機構。
【請求項２】
前記気体流通管は、長さ方向に全長にわたってスリットが設けられている請求項１に記載の監視窓パージ機構。
【請求項３】
前記噴出口は、気体の監視窓に対する噴出量が一定となるよう、調整されている請求項１または２に記載の監視窓パージ機構。
【発明の詳細な説明】
【技術分野】
【０００１】
本発明は、加熱炉や焼却炉、煙道内など、粉塵や煤塵、煤煙等に晒された環境下において、監視対象をガラス等の透明部材からなる監視窓を介して監視するシステムにおいて、監視窓に気体を吹き付けることでパージする監視窓パージ機構に関する。
【背景技術】
【０００２】
従来から、加熱炉や焼却炉、煙道内など、粉塵や煤塵、煤煙等に晒された環境下において、監視窓を介して監視を行う場合、監視窓に気体（特に空気など）を吹き付けることでパージする方法がとられていた。
【０００３】
このように、気体を吹きつけて監視窓をパージする方法は、特許文献１や特許文献２に示すように、監視窓が取り付けられた前面板などに、気体を流通させる機構を取り付け、監視窓全面にわたって、パージされるように構成されている。
【先行技術文献】
【特許文献】
【０００４】
【特許文献１】特開平１１−５１８５３
【特許文献２】特開２００４−３３３５３４
【発明の概要】
【発明が解決しようとする課題】
【０００５】
特許文献１や特許文献２に示した、パージ機構によって、監視窓は汚れにくくなり、監視を効率的に行うことが可能となった。
【０００６】
しかし、特許文献１に示すようなパージ機構では、監視窓が取り付けられた前面板に、気体を流通させる複雑な流路を設ける必要があった。このため、このような機構を設けるためには、コストが高くなるなどの問題があった。
【課題を解決するための手段】
【０００７】
そこで、本発明では、上記問題を鑑み、以下の監視窓パージ機構を提供する。第一の発明としては、監視装置が収納されたケース本体と、ケース本体の監視対象面を構成する前面板と、前記前面板に設けられ、監視装置から測定対象を監視する監視窓と、前記監視窓をパージするための気体を流通させ、監視窓へ向けて気体を噴出する噴出口を有する気体流通管と、前記前面板の側面方向から対面へ貫通し、前記監視窓の前面板の内側面と連通するように設けられ、前記気体流通管が挿入可能で、屈曲形状を有している管挿入孔と、からなる監視窓パージ機構を提供する。
【０００８】
第二の発明としては、前記気体流通管は、長さ方向に全長にわたってスリットが設けられている第一の発明に記載の監視窓パージ機構を提供する。
【０００９】
第三の発明としては、前記噴出口は、気体の監視窓に対する噴出量が一定となるよう、調整されている第一の発明または第二の発明に記載の監視窓パージ機構
【発明の効果】
【００１０】
本件発明の監視窓パージ機構のように、前面板に設けられた管挿入孔とパージ用の気体が吹き出す噴出口を有する気体流通管が別体となっていることで、監視窓をパージする気体の噴出方向などを容易に変更することが可能となる。また、管挿入孔が屈曲形状を有することで、管挿入孔すなわち前面板に容易に気体流通管を固定することが可能となる。
【００１１】
また、気体流通管にスリットを設けることで、気体流通管に柔軟性を与え、屈曲形状を有する管挿入孔に挿入固定しやすくする効果がある。
【図面の簡単な説明】
【００１２】
【図１】実施形態１の監視窓パージ機構を説明するための概念図
【図２】実施形態１の監視窓パージ機構の監視窓を説明するための監視窓部分の断面概念図
【図３】実施形態１の監視窓パージ機構の気体流通管を説明するための概念図
【図４】実施形態１の監視窓パージ機構の監視窓近傍の断面概念図
【図５】実施形態１の監視窓パージ機構の管挿入孔と監視窓を説明するための斜視概念図
【図６】実施形態１の監視窓パージ機構の管挿入孔の屈曲形状を説明するための概念図
【図７】実施形態２の監視窓パージ機構の気体流通管を説明するための概念図
【図８】実施形態２の監視窓パージ機構の気体流通管のスリットを説明するための断面概念図
【発明を実施するための形態】
【００１３】
以下、本件発明の実施の形態について、添付図面を用いて説明する。なお、本件発明は、これら実施形態に何ら限定されるべきものではなく、その要旨を逸脱しない範囲において、種々なる態様で実施し得る。
【００１４】
実施形態１は主に請求項１および請求項３などに関する。実施形態２は主に請求項２などに関する。
【００１５】
＜＜実施形態１＞＞
＜実施形態１  概要＞
本実施形態の監視窓パージ機構は、監視窓をパージするための気体を流通させる気体流通管を有し、前面板に設けられた気体流通管が屈曲形状を有する管挿入孔に挿入され固定されることを特徴としている。このように、前面板に設けられた管挿入孔とパージ用の気体が吹き出す噴出口を有する気体流通管が別体となっていることで、監視窓をパージする気体の噴出方向などを用意に変更することが可能となる。また、管挿入孔が屈曲形状を有することで、管挿入孔すなわち前面板に容易に気体流通管を固定することが可能となる。
【００１６】
＜実施形態１  構成＞
図１に本実施形態の監視窓パージ機構を説明するための概念図を示した。本実施形態の監視窓パージ機構は、監視装置が収納されたケース本体（０１０１）と、ケース本体の監視対象面を構成する前面板（０１０２）と、前記前面板に設けられ、監視装置から測定対象を監視する監視窓（０１０３）と、前記監視窓をパージするための気体を流通させ、監視窓へ向けて気体を噴出する噴出口（０１０４）を有する気体流通管（０１０５）と、前記前面板の側面方向から対面へ貫通し、前記監視窓の前面板の内側面と連通するように設けられ、前記気体流通管が挿入可能で、屈曲形状を有している管挿入孔（０１０６）と、からなる。なお、図１においては説明をわかりやすくするために、ケース本体内に収納された監視装置は省略している。
【００１７】
「ケース本体」は、内部に監視装置が収納させている。ケース本体に収納されている監視装置は、可視カメラや、放射温度計、赤外線カメラなど、監視対象物を監視窓を介して監視する装置である。このケース本体に収納される監視装置については、特に限定冴えるものではなく、適宜変更可能な設計事項である。
【００１８】
また、ケース本体を構成する材料は、その使用用途に応じて、金属製や樹脂製、場合によっては木製など、使用用途に応じて変更することが可能である。さらに、ケース本体は、防爆構造や防滴構造、防塵構造などとしてもよい。
【００１９】
「前面板」は、ケース本体のうち、監視対象に対面する面を構成する板である。具体的には、前面板には後述する監視窓や管挿入孔が構成されている。前面板を構成する材料などについては、ケース本体と同様に、使用用途に応じて適宜選択し変更可能な設計事項である。また、前面板を構成する材料は、ケース本体と構成する材料と同一であってもよいし、異なる材料であってもよい。
【００２０】
「監視窓」は、前記前面板に設けられ、監視装置から測定対象を監視する。監視窓は、ケース本体に収納される監視装置に応じて、構成する材料を変更する。例えば、監視装置として可視カメラを収納している場合には、可視光を透過する材料で構成され、放射温度計や赤外線カメラなどの場合には、赤外光を透過する材料で構成する。また、監視窓の大きさや形などは、測定対象や監視装置が監視するエリアの大きさや監視対象までの距離などを考慮して決定される設計事項である。
【００２１】
監視窓の構成について、詳細に説明する。監視窓は前述の前面板に開口を設け、この開口部に監視装置から監視対象を見通す。この開口に前述のように監視装置に応じた監視窓を設置する。図２に本実施形態の監視窓を説明するための監視窓部分の断面図を示した。本実施形態の監視窓は、前面板（０２０１）に設けられた開口（０２０２）に、監視窓（０２０３）が取り付けられている。監視窓は、図２の（ａ）のように前面板の監視装置（０２０４）側もしくは、（ｂ）のように監視対象（０２０５）側に配置される。（ａ）または（ｂ）のどちらに監視窓を配置するかは、パージ用の気体が、前面板に設けられた開口の内側面から噴出されるため、監視対象側から監視窓方向に噴出するか、監視装置側から監視窓方向に噴出するかによって設定するものである。なお、パージ用気体の噴出方向や気体流通管（０２０６）に関する詳細は後述する。
【００２２】
「気体流通管」は、前記監視窓に気体を吹きつけてパージするための気体が流通している。また、気体流通管には後述する噴出口が設けられ、気体流通管内を流通する気体を監視窓に向けて噴出するための開口が設けられている。この気体流通管は、後述する管挿入孔に挿入し、ケース本体の前面板に固定される。
【００２３】
また、気体流通管には、監視窓へ向けて気体を噴出する噴出口を有している。この噴出口から、気体流通管に流通する気体を噴出し、監視窓をパージする構成となっている。この噴出口の形状は、図３の（ａ）に示したように、略円形であってもよいし、四角形のほか、スリット状などの形状であってもよい。これらの形状は、使用条件に合わせて適宜設定する設計事項である。また、噴出口は、気体の監視窓に対する噴出量が一定となるように、噴出口の形状や大きさが調整されていてもよい。例えば図３中で、気体流通管に流れる気体が、左右（矢印の方向）から等しい流量で流れてきた場合、噴出口の略中央付近が左右からの気体の流れが衝突するため、噴出口からの気体の流出量が最も多くなる。これを均等に気体が噴出するようにするためには、図３の（ｂ）に示したように、略中央付近の噴出口の大きさを小さくし、左右にいくにつれて噴出口の大きさを大きくなるように構成すればよい。また、（ｃ）に示すように、噴出口の大きさではなく、略中央から左右にいくにつれて、噴出口の数を増やすように構成してもよい。
【００２４】
図４には、気体流通管（０４０１）の噴出口（０４０２）の向きを説明するための監視窓（０４０３）近傍の断面概念図を示した。気体流通管は、図４の（ａ）のように、噴出口の方向を監視窓の方向に向けて配置してもよいし、場合によって（ｂ）のように、（ａ）とは逆に監視対象（０４０４）の方向に向かって配置してもよい。さらに、監視窓の下部だけではなく、（ｃ）のように、上下２つ配置するように構成してもよい。上下２つ配置する場合も、噴出口の方向を監視窓の方向だけではなく、（ｄ）のように、監視対象の方向に向けて配置してもよい。（ｂ）や（ｃ）のように、監視対象の方向に噴出口を向ける場合は、図示したように、監視窓から監視対象の間に、庇（０４０５）などが取り付けられているときである。このようにすることで、庇から監視窓方向へ、粉塵など監視窓を汚す原因となる物質が入り込まないようにすることが可能となる。
【００２５】
このように、気体流通管は前述のように、使用環境に応じて、噴出口のサイズや形状などを変化させて使用する。したがって、前面板と気体流通管を別体とし、気体流通管を前面板に設けられた管挿入孔に挿入し固定することで、さまざまな使用環境に対応する際に気体流通管のみを変更することで対応することが可能となる。
【００２６】
「管挿入孔」は、前面板の側面方向から対する側面へ貫通し、前記監視窓の前面板の内側面と連通するように設けられている。図５に管挿入孔（０５０１）と監視窓（０５０２）との関係を説明するための斜視概念図を示した。図５の（ａ）は、前面板（０５０３）を側面方向から見たときの拡大斜視概念図であり、（ｂ）は、前面板を側面方向した拡大概念図で、（ｃ）は、前面板を監視対象側から見たときの拡大概念図である。管挿入孔は、前面板の側面から、対面の側面へ貫通するように設けられている。また、管挿入孔は、監視窓を設けられた前面板の内側面（０５０４）と連通する孔（０５０５）が構成されている。この管挿入孔と監視窓を設けるために開口された前面板の内側面とを連通する孔は、気体流通管に設けられた噴出口から噴出される気体をパージさせる対象である監視窓へ吹き付ける際の流路となる。
【００２７】
また、この連通する孔は、図５の（ｂ）や（ｃ）のように、前面板の側面から管挿入孔を見たときに、管挿入孔の外周の一部が、監視窓の前面板内側側面と一部が干渉するように構成してもよい。管挿入孔の外周の一部が、監視窓の前面板内側側面と一部が干渉しているため、管挿入孔と監視窓との間に連通する孔を設けられる。このように構成することで、管挿入孔と監視窓を連通する孔を容易に形成することが可能となる。
【００２８】
管挿入孔は、前述の気体流通管が固定されるように、屈曲形状を有している。本実施形態の管挿入孔が有している屈曲形状とは、図６の（ａ）に示すように、前面板（０６０１）に形成された直線状の管挿入孔（０６０２）の一部に屈曲形状を1か所、または複数個所有（図６の（ｂ））していたり、管挿入孔全体が曲線となって屈曲部を有していてもよい。また、図６の（ｃ）の様に管挿入孔全体にわたって、曲線で構成されていてもよい。この屈曲形状を有する管挿入孔に略直線の気体流通管を挿入する。挿入される気体流通管は、略直線状であるため、屈曲形状を有するため、気体流通管は、屈曲形状によって長さ方向に変形され、管挿入孔内で固定される。
【００２９】
図６中では、管挿入孔の屈曲形状を説明するために、屈曲が大きくなるように表現している。実際には、前述した管挿入孔と監視窓との間に設けられた孔の形成を妨げない程度に屈曲している。また屈曲の大きさは、気体流通管が挿入可能で、且つ固定可能な程度でなければならない。これは、気体流通管の直径と屈曲への追従可能な柔軟性と、管挿入孔の直径および屈曲の大きさなどによって決定されるものである。
【００３０】
なお、管挿入孔が設けられる場所は、図１、図２、図４、図５や図６においては、監視窓の下部や上下に設けられていたが、使用環境等に応じて、監視窓の上部、下部、のほか、右、左のいずれの位置であってもよい。
【００３１】
＜実施形態１  効果＞
本実施形態の監視窓パージ機構のように、前面板に設けられた管挿入孔とパージ用の気体が吹き出す噴出口を有する気体流通管が別体となっていることで、監視窓をパージする気体の噴出方向などを容易に変更することが可能となる。また、管挿入孔が屈曲形状を有することで、管挿入孔すなわち前面板に容易に気体流通管を固定することが可能となる。
【００３２】
＜実施形態２＞
＜実施形態２  概要＞
本実施形態の監視窓パージ機構は、実施形態１に述べた気体流通管に長さ方向に全長にわたってスリットが設けられている特徴を有している。このように、気体流通管にスリットを設けることで、気体流通管に柔軟性を与え、屈曲形状を有する管挿入孔に挿入固定しやすくする効果がある。
【００３３】
＜実施形態２  構成＞
図７に本実施形態の監視窓パージ機構の気体流通管を説明するための概念図を示した。本実施形態の監視窓パージ機構は、気体流通管（０７０１）の長さ方向に全長にわたってスリット（０７０２）が設けられている特徴を有している。
【００３４】
スリットは、図７に示したように、全長にわたって設けられている。実施形態１でも説明したように、気体流通管は、屈曲形状を有する管挿入孔に挿入固定される必要がある。このため、管挿入孔の屈曲形状に追従する柔軟性を有している必要がある。
【００３５】
スリットを有していない気体流通管は、気体流通管を構成する材料の種類や、材料の厚さなどによって柔軟性を確保しているが、大きな柔軟性を得ることはできない。そこで、本実施形態の気体流通管のように、全長にわたってスリットを設けることで、材料の種類や、厚さなどによらず、柔軟性を有することが可能となる。
【００３６】
また、図８に示したように、本実施形態の気体流通管（０８０１）のようにスリット（０８０２）を設けた場合、略円形の管の断面は、管の形状から広がる方向へ変形しようとする。円形の気体流通管に（図８の（ａ）の状態）に、スリットを形成すると（図８（ｂ）の状態）、（ｃ）のように、スリットを広げようとする方向へ気体流通管が変形する。この変形した気体流通管を管挿入孔に挿入する際、気体流通管をスリットが狭くなる方向（断面径を小さくする方向）へ変形し、挿入する。挿入後、気体流通管は、スリットを広げる方向へ変形しようとするため、この力により気体流通管は管挿入孔内で固定される。このように、スリットを設けることで、気体流通管が変形しようとする力を利用し、より強固に管挿入孔内で固定がなされる。
【００３７】
＜実施形態２  効果＞
本実施形態の監視窓パージ機構のように、気体流通管にスリットを設けることで、気体流通管に柔軟性を与え、屈曲形状を有する管挿入孔に挿入固定しやすくする効果がある。
【符号の説明】
【００３８】
０１０１  ケース本体
０１０２  前面板  
０１０３  監視窓
０１０４  噴出口
０１０５  気体流通管
０２０１  前面板
０２０２  開口
０２０３  監視窓
０２０４  監視装置
０２０５  監視対象
０２０６  気体流通管
０４０１  気体流通管
０４０２  噴出口
０４０３  監視窓
０４０４  監視対象
０４０５  庇
０５０１  管挿入孔
０５０２  監視窓
０５０３  前面板
０５０４  内側面
０５０５  孔
０６０１  前面板
０６０２  管挿入孔
０７０１  気体流通管
０７０２  スリット
０８０１  気体流通管
０８０２  スリット
【図１】
2014039179.tif 000003
【図２】
2014039179.tif 000004
【図３】
2014039179.tif 000005
【図４】
2014039179.tif 000006
【図５】
2014039179.tif 000007
【図６】
2014039179.tif 000008
【図７】
2014039179.tif 000009
【図８】
2014039179.tif 000010